(57)【要約】      （修正有）【課題】合成樹脂材で形成した食品用密封容器の不正開封を防止する。【解決手段】上方に開口部５を有した容器本体３と、該容器本体の開口部５に着脱可能に嵌合する蓋体３０とからなる密閉容器１において、前記容器本体３は、開口部５の外周縁に前記蓋体３０を着脱可能に嵌合する係止爪部６と蓋体３０の周縁に設けた係止鍔部３３を支持する環状溝部８を一体に形成し、該環状溝部の一部に設けた開口凹部に前記蓋体３０の無断開封を防止する開閉操作片を一体に設けてなり、前記蓋体３０は、容器本体３の開口部５を閉口する蓋部３１の内周縁に前記容器本体３の開口部５に設けた係止爪部６と嵌合する係合部３２と、前記容器本体３の環状溝部８に嵌る平坦な係止鍔部３３を一体に設けてなることを特徴とする。【選択図】図３
2017171333.tif 000002
【特許請求の範囲】
【請求項１】
上方に開口部（５）を有した容器本体（３）と、該容器本体の開口部（５）に着脱可能に嵌合する蓋体（３０）とからなる密閉容器（１）において、前記容器本体（３）は、開口部（５）の外周縁に前記蓋体（３０）を着脱可能に嵌合する係止爪部（６）と蓋体（３０）の周縁に設けた係止鍔部（３３）を支持する環状溝部（８）を一体に形成し、該環状溝部の一部に設けた開口凹部（１３）に、前記蓋体（３０）の無断開封を防止する開閉操作片（１４）を前記開口凹部（１３）から剥離可能で一体に設けてなり、前記蓋体（３０）は、容器本体（３）の開口部（５）を閉口する蓋部（３１）の内周縁に前記容器本体（３）の開口部（５）に設けた係止爪部（６）と嵌合する係合部（３２）と、前記容器本体（３）の環状溝部（８）に嵌る平坦な係止鍔部（３３）を一体に設けてなり、前記容器本体（３）の開口部（５）に設けた環状溝部（８）に嵌合した蓋体（３０）の開封は、環状溝部（８）の開口凹部（１３）に収容した開閉操作片（１４）の一端を破断し、開口凹部（１３）を開封して蓋体（３０）の係止鍔部（３３）の一部を露出させ、該露出部分の係止鍔部（３３）を上方に押し上げることにより、蓋体（３０）を容器本体（３）から取り外し可能に形成してなることを特徴とする密封容器。
【請求項２】
前記環状溝部（８）は、水平な平坦部（１１）の内縁に補強段部（９）を形成し、外側に蓋体（３０）の係止鍔部（３３）の無断開口を防止する鍔部（１０）を一体に設けてなることを特徴とする請求項１記載の密封容器。
【請求項３】
前記開口凹部（１３）に収容した開閉操作片（１４）は、環状溝部（８）の外周面と一体に連接する外壁部（１５）の両端垂直方向に薄肉厚に形成した破砕溝部（２１）を設け、前記外壁部（１５）の内側に前記環状溝部（８）の鍔部（１０）及び平坦部（１１）と同形の鍔部（１６）と平坦部（１７）を一体に形成し、該平坦部の内縁（１７ａ）に設けた少なくとも１以上の支持部（１８）の先端を前記開口凹部（１３）の内縁（１３ａ）と破砕可能で一体に形成してなり、前記開閉操作片（１４）を外方向に引っ張って破砕溝部（２１）の一方を破断させると同時に、支持部（１８）の先端を開口凹部（１３）の内縁（１３ａ）から破断させて離脱させることにより、開閉操作片（１４）を片開きさせて開口凹部（１３）内に位置した蓋体（３０）の係止鍔部（３３）の一部を露出させ、露出した係止鍔部（３３）を上方に押し上げて係止爪部（６）から蓋体（３０）の係合部（３２）を離脱させることにより容器本体（３）から蓋体（３０）を取り外し可能に形成してなることを特徴とする請求項１記載の密封容器。
【請求項４】
前記開閉操作片（１４）は、平坦部（１７）の内縁（１７ａ）で水平方向に三角形状をした少なくとも１以上の支持部（１８）設け、該支持部の先端を前記開口凹部（１３）の内縁（１４ａ）と破砕可能な一体に形成し、前記支持部（１８）の裏面垂直方向にそれぞれ補強リブ部（１９）を一体に設けてなることを特徴とする請求項３記載の密封容器。
【請求項５】
前記開閉操作片（１４）は、外壁部（１５）の下端水平方向に保持部（２０）を設け、該保持部の両側で前記環状溝部（８）の下端水平方向に保持部（２０）を保護する保護鍔部（２５）をそれぞれ設けてなることを特徴とする請求項３記載の密封容器。
【請求項６】
前記開閉操作片（１４）は、外壁部（１５）の両端に設けた破砕溝部（２１）の上下両端に切欠部（２２、２３）を設けてなることを特徴とする請求項３記載の密封容器。
【発明の詳細な説明】
【技術分野】
【０００１】
本発明は、ジャム、アイスクリームなどの食品を収納する密封容器で、合成樹脂材により形成した容器本体と蓋体とからなり、密封状態を維持した状態で無断開封防止機能を有する容器の改良に関する。
【背景技術】
【０００２】
従来、合成樹脂材により形成したジャム、マーガリン、アイスクリームなどの食品を収納する密封容器は多種多様で、その容器と蓋板との嵌合方法も多様である。特に、食品容器は異物の混入や不正開封を防止するため、蓋板を閉じた状態での無断開封を防止する封印を設けた容器が知られている（例えば、特許文献１、２参照）。
【先行技術文献】
【特許文献】
【０００３】
【特許文献１】米国特許第３７５３５１２号
【特許文献２】特開平１０−２５０７５４号
【０００４】
しかし、前者の発明は、容器本体の開口部周縁に係止爪部を設け、下端に嵌合溝部を有した本体チャネルを形成してなり、蓋板は、周縁内部に前記係止爪部に係止する係合部と、下端に前記嵌合溝部に嵌る嵌合壁部を有し、容器本体に被せた蓋板の嵌合壁部が嵌合溝部に嵌って外部から外せない構造になっている。さらに、本体チャネルの一部に蓋板の嵌合壁部を開封するためのタブ手段を設けてあるが、該タブ手段は、嵌合壁部の外縁の延長上に形成した縁部を上方側から外側に広げて蓋体の嵌合壁部を露出させ、該露出部分から蓋体の嵌合壁部を持ち上げて外す構造になっている。したがって、タブ手段が上方から外側に押し下げる操作であるため簡単に開いてしまう。そのため、容器の搬送中や容器の積み変え中に誤ってタブ手段を引掛けて外側に押し下げて開封するおそれがあり、誤って開封すると商品として販売することができないので、大変不経済である。
【０００５】
また後者の容器は、前記容器と同様に容器本体の開口部周縁に係止爪部を設け、下端に嵌合溝部を設けてある。蓋板は、周縁内部に前記係止爪部に係止する係合部と、下端に前記嵌合溝部に嵌る嵌合壁部を有し、容器本体に被せた蓋板の嵌合壁部が嵌合溝部に嵌り外部から外せない構造になっている。容器を開封する場合、容器本体の嵌合溝部を構成する外周立ち上がり片の一端に設けた摘み片を引っ張ることにより、外周立ち上がり片が内周立ち上がり片から剥離して蓋板の嵌合壁部を露出させ、該嵌合壁部の下端を上方に押し上げることにより、蓋板を外すことができる。しかし、摘み片を設けた外周立ち上がり片全体を剥がさなければならず、操作が面倒である。また、切り離された外周立ち上がり片はごみとなるため、処分しなければならず面倒であるなど多くの問題点を有している。
【発明の概要】
【発明が解決しようとする課題】
【０００６】
そこで、本発明は、搬送中の商品や商品陳列の際に誤って開封されるのを防止し、また、容器を開封するときに開封片を本体から切り離すことなく、容器に接続させた状態で開封させることにより不要なごみの発生を防止し、且つ、効率的に蓋体を開封可能に形成することを目的とする。
【課題を解決するための手段】
【０００７】
上記課題を解決するため本発明は、上方に開口部５を有した容器本体３と、該容器本体の開口部５に着脱可能に嵌合する蓋体３０とからなる密閉容器１において、前記容器本体３は、開口部５の外周縁に前記蓋体３０を着脱可能に嵌合する係止爪部６と蓋体３０の周縁に設けた係止鍔部３３を支持する環状溝部８を一体に形成し、該環状溝部の一部に設けた開口凹部１３に、前記蓋体３０の無断開封を防止する開閉操作片１４を一体に設けてなり、前記蓋体３０は、容器本体３の開口部５を閉口する蓋部３１の内周縁に前記容器本体３の開口部５に設けた係止爪部６と嵌合する係合部３２と、前記容器本体３の環状溝部８に嵌る平坦な係止鍔部３３を一体に設けてなり、前記容器本体３の開口部５に設けた環状溝部８に嵌合した蓋体３０の開封は、環状溝部８の開口凹部１３に設けた開閉操作片１４の一端を破断し、開口凹部１３を開封して蓋体３０の係止鍔部３３の一部を露出させ、該露出部分の係止鍔部３３を上方に押し上げることにより、蓋体３０を容器本体３から取り外し可能に形成してなることを特徴とする。また、前記環状溝部８は、水平な平坦部１１の内縁に補強段部９を形成し、外側に蓋体３０の係止鍔部３３の無断開口を防止する鍔部１０を一体に設けてなることを特徴とする。さらに、前記開口凹部１３に収容した開閉操作片１４は、環状溝部８の外周面と一体に連接する外壁部１５の両端垂直方向に薄肉厚に形成した破砕溝部２１を設け、前記外壁部１５の内側に前記環状溝部８の鍔部１０及び平坦部１１と同形の鍔部１６と平坦部１７を一体に形成し、該平坦部の内縁１７ａに設けた少なくとも１以上の支持部１８の先端を前記開口凹部１３の内縁１３ａと破砕可能で一体に形成してなり、前記開閉操作片１４を外方向に引っ張って破砕溝部２１の一方を破断させると同時に、支持部１８の先端を開口凹部１３の内縁１３ａから破断させて離脱させることにより、開閉操作片１４を片開きさせて開口凹部１３内に位置した蓋体３０の係止鍔部３３の一部を露出させ、露出した係止鍔部３３を上方に押し上げて係止爪部６から蓋体３０の係合部３２を離脱させることにより容器本体３から蓋体３０を取り外し可能に形成してなることを特徴とする。さらにはまた、前記開閉操作片１４は、平坦部１７の内縁１７ａで水平方向に三角形状をした少なくとも１以上の支持部１８設け、該支持部の先端を前記開口凹部１３の内縁１４ａと破砕可能な一体に形成し、前記支持部１８の裏面垂直方向にそれぞれ補強リブ部１９を一体に設けてなることを特徴とする。また、前記開閉操作片１４は、外壁部１５の下端水平方向に保持部２０を設け、該保持部の両側で前記環状溝部８の下端水平方向に保持部２０を保護する保護鍔部２５をそれぞれ設けてなることを特徴とする。さらに、前記開閉操作片１４は、外壁部１５の両端に設けた破砕溝部２１の上下両端に切欠部２２、２３を設けてなることを特徴とする。
【０００８】
したがって、密封容器１の容器本体３は、開口部５の外周縁に蓋体３０を着脱可能に係止する係止爪部６と、蓋体３０の係止鍔部３３を収容する環状溝部８を設け、該環状溝部の一部に設けた開口凹部１３に開閉可能な開閉操作片１４を環状溝部８と一体に形成してなり、蓋体３０は、前記容器本体３の係止爪部６に嵌合する係合部３２と環状溝部８に収容する係止鍔部３３を一体に形成したことにより、容器本体３に蓋体３０を嵌合させたとき、通常の手段（手）では開封することができない無断開封を防止する封印機能を持たせることができる。開封は、環状溝部８の一部に設けた開口凹部１３を閉口してある開閉操作片１４を破断して左右いずれかの方向に開口凹部１３を開封し、該開口凹部に位置した蓋体３０の係止鍔部３３の一部を押し上げることにより、容易に蓋体３０を取り外すことができる。また、前記開閉操作片１４は、環状溝部８の外壁面と開閉操作片１４の外壁部１５とを同一面に形成してあるため、搬送中や商品の出し入れのときに引っ掛かる虞がないため、誤って開封するのを防止することができる。さらに、開閉操作片１４の開封は、薄厚に形成した左右いずれかの破砕溝部２１から破断するため、残りの破砕溝部２１が環状溝部８と連結した状態になることから開閉操作片１４がゴミとなる虞がないなど有益なる効果を有するものである。
【図面の簡単な説明】
【０００９】
【図１】本発明に係る密封容器の正面図である。
【図２】本発明に係る密封容器の平面図である。
【図３】図２のＡ―Ａ線断面図である。
【図４】容器本体に設けた環状溝部の要部拡大断面図である。
【図５】蓋体の係止鍔部を示す要部拡大断面図である。
【図６】図２のＢ―Ｂ線拡大断面図である。
【図７】容器本体の環状溝部に設けた開閉操作片の要部拡大正面図である。
【図８】容器本体の環状溝部に設けた開閉操作片の要部拡大平面図である。
【図９】容器本体の環状溝部に設けた開閉操作片の要部拡大底面図である。
【図１０】図７のＣ―Ｃ線拡大断面図である。
【図１１】環状溝部に設けた開口凹部を開封した状態の要部拡大断面図である。
【図１２】開口凹部内の係止鍔部を押し上げる状態の要部拡大断面図である。
【発明を実施するための形態】
【００１０】
本発明の実施の形態を図面により説明すると、図１は本発明に係る密封容器の正面図、図２は本発明に係る密封容器の平面図、図３は図２のＡ―Ａ線断面図、図４は容器本体に設けた環状溝部の要部拡大断面図、図５は蓋体の係止鍔部を示す要部拡大断面図、図６は図２のＢ―Ｂ線要部拡大断面図、図７は容器本体の環状溝部に設けた開閉操作片の要部拡大正面図、図８は容器本体の環状溝部に設けた開閉操作片の要部拡大平面図、図９は容器本体の環状溝部に設けた開閉操作片の要部拡大底面図である。密封容器１は、合成樹脂シート材を押し出し成形により形成した上方に開口部５を有する容器本体３と、前記容器本体３の開口部５に着脱可能に嵌合する蓋体３０とからなる。
【００１１】
前記容器本体３は、図１から４に示すごとく、上方開口部５の外周縁に係止爪部６を形成し、該係止爪部の下方に前記蓋体３０の係止鍔部３３を収容する環状溝部８を一体に形成してある。
【００１２】
また、前記環状溝部８は、図４に示すごとく、水平な平坦部１１の内縁に補強段部９を形成し、外側には環状溝部８に収容した蓋体３０の係止鍔部３３を無断開封されるのを防止する高さを有した鍔部１０を一体に形成してある。
【００１３】
前記環状溝部８は、図８に示すごとく、平坦部１１の一部を開口した開口凹部１３を形成し、該開口凹部内に前記蓋体３０の無断開封を防止する開閉可能な開閉操作片１４を一体に収容してある。
【００１４】
前記開閉操作片１４は、図７〜９に示すごとく、環状溝部８の外周面と同一面で一体に形成した外壁部１５の内側に、前記環状溝部８の鍔部１０及び平坦部１１と同一形状の鍔部１６と平坦部１７を一体に形成し、外壁部１５の両端に前記開口凹部１３の端部と環状溝部８とが接合する部分の垂直方向に薄肉厚に形成した破断可能な破砕溝部２１を一体に設けてある。
【００１５】
前記開閉操作片１４の平坦部１７は、内縁１７ａの水平方向にそれぞれ三角形状をした３本の支持部１８を設け、該各支持部の先端を前記開口凹部１３の内縁１３ａと破断可能で一体に形成してある。この開閉操作片１４の内側に設けた支持部１８は、先端を開口凹部１３の内縁１３ａと一体に形成したことにより、開口凹部１３内に位置した開閉操作片１４の強度を維持することができる。
【００１６】
また、前記支持部１８は、図９に示すごとく、各支持部１８の裏面で垂直方向に補強リブ部１９を一体に設けて支持部１８が外圧で変形するのを防止している。
【００１７】
さらに、前記開閉操作片１４は、外壁部１５の下端水平方向に開閉操作片１４を引き出すための保持部２０を一体に形成し、該保持部の両側で環状溝部８の下端水平方向に、前記保持部２０を保護するための保護鍔部２５をそれぞれ設けてある。
【００１８】
開閉操作片１４は、外壁部１５の両端に設けた破砕溝部２１の上端に、上部切欠部２２を設け、下端保持部２０には、下部切欠部２３をそれぞれ設けてある。この破砕溝部２１の上下両端に切欠部２２，２３を設けたことにより、開閉操作片１４を外方向に引っ張ったとき、接合面積を少なくすることができるので左右いずれかの破砕溝部２１を容易に破断させることができる。  
【００１９】
前記開口凹部１３の開封は、開閉操作片１４の保持部２０を外方向に引っ張って左右に設けたいずれか一方の破砕溝部２１を破断すると同時に、支持部１８の先端を開口凹部１３の内縁１３ａから破断させて開封する。
【００２０】
前記蓋体３０は、図５に示すごとく、蓋部３１に内周縁に前記容器本体３の開口部５に設けた係止爪部６と嵌合する係合部３２を形成し、下端周縁に前記容器本体３の環状溝部８に嵌る平坦な係止鍔部３３を一体に設けてなり、前記容器本体３の開口部５に設けた環状溝部８に係止鍔部３３を嵌合した蓋体３０は、環状溝部８の鍔部１０で囲まれて収容されているため、通常の手段（手）では蓋体３０を外すことは困難であることから、無断開封を防止することができる。
【００２１】
前記容器本体３に嵌合した蓋体３０の開封は、図８に示すごとく、封印機能を有する開閉操作片１４の下端に設けた保持部２０を持って、または、該保持部と外壁部１５の上端を持って外方向に引っ張ることにより、左右いずれかの破砕溝部２１が破断すると同時に、支持部１８の先端接合部が開口凹部１３の内縁１３ａから破断し、開閉操作片１４の残った破砕溝部２１を中心に枢動させて開口凹部１３を開封することができる。
【００２２】
前記開閉操作部１４は、一度破断すると切断部分を二度と元の形状に戻すことができないので、容器を購入した者以外が不正に開口したことが一目でわかるため、無断開封を防止することができる。
【００２３】
開口凹部１３を開封すると、環状溝部８に収容されていた蓋体３０の係止鍔部３３の一部が露出する（図１１）。次いで、図１２に示すごとく、露出部分の係止鍔部３３の下側に指先Ｘをかけて上方に押し上げることにより、蓋体３０の係合部３２が容器本体３の係止爪部６から離脱して簡単に取り外すことができる。
【００２４】
以下、本発明の実施の形態の作用について説明すると、密閉容器１は、用途によってその形状を自由に形成することはできるが、上方を開口した開口部５を有する容器本体３と、前記容器本体３の開口部５に着脱可能に嵌合する蓋体３０とからなり、容器本体３の開口部５の外周面に設けた環状溝部８に蓋体３０の係止鍔部３３を収容することにより、係止鍔部３３は、外部から人の手を引掛かけることができないので無断開口を防止する封印機能を持たせることができる。
【００２５】
容器本体３の環状溝部８の一部に設けた開口凹部１３に収容した開閉操作片１４は、外壁部１５を前記環状溝部８の外周面とほぼ同一面で一体に形成され、内側の支持部１８の一端を開口凹部１３の内縁と一体に連結してあるため、外部からの不用意な衝撃や引っ掛かりで開口したり変形する恐れがない。
【００２６】
さらには、開閉操作片１４の下部で外側に突出させた保持部２０は、該保持部の両側に環状鍔部８の外壁面の下端に保護鍔部１９を設けてガードしてあるため、外部からの不用意な引っ掛かりで開口する恐れがなく安全である。
【００２７】
また、開口凹部１３内に位置した開閉操作片１４は、外部からの不用意な外圧による衝撃に対しても、外壁部１５の左右に設けた破砕溝部２１を介して環状溝部８と一体に連結し、前後方向は支持部１８を介して開口凹部１３の内縁部１３ａと一体に形成してあるため、外部からの衝撃により変形したり破断する恐れがなく安全である。
【００２８】
蓋体３０の開封は、容器本体３の環状溝部８に設けた開閉操作片１４により行う。開閉操作片１４の下端に設けた保持部２０を持って外方向に引っ張ることにより、左右いずれかの破砕溝部２１が破断すると同時に、支持部１８の先端接合部分が開口凹部１３の内縁から破断して開閉操作片１４の残った破砕溝部２１を中心に枢動して開口凹部１３を開口する。  
【００２９】
開口凹部１３が開封されると、環状溝部８に収容されていた蓋体３０の係止鍔部３３の一部が露出する（図１１）。次いで、図１２に示すごとく、露出部分の係止鍔部３３の下側から指先をかけて上方に押し上げることにより、蓋体３０の係止部３２が容器本体３の係止爪部６から外れて簡単に取り外すことができる。
【００３０】
したがって、密封容器１は搬送中の不用意な衝撃やはずみで開閉操作片１４が開口したり変形するのを防止することができ、また、開閉操作片１４の開封は容器本体３から開閉操作片１４を分離するのではなく、両側に設けた破砕溝部２１の一方がつながったままであるため、ごみとならず仮蓋として一度開口した開口凹部１３を閉じることができる。さらに、開閉操作部１４は、一度破断すると切断部分を二度と元の形状に戻すことができないので、消費者以外のものが不正に開口したことが一目でわかるため、無断開封を防止することができる。
【符号の説明】
【００３１】
１      密封容器
３      容器本体
５      開口部
６      係止爪部
８      環状溝部
９      段部
１０    鍔部
１１    平坦部
１３    開口凹部
１４    開閉操作片
１５    外壁部
１６    鍔部
１７    平坦部
１８    支持部
１９    補強リブ部
２０    保持部
２１    破砕溝部
２２    上部切欠部
２３    下部切欠部
２５    保護鍔部
３０    蓋体
３１    蓋部
３２    係合部
３３    係止鍔部
【図１】
2017171333.tif 000003
【図２】
2017171333.tif 000004
【図３】
2017171333.tif 000005
【図４】
2017171333.tif 000006
【図５】
2017171333.tif 000007
【図６】
2017171333.tif 000008
【図７】
2017171333.tif 000009
【図８】
2017171333.tif 000010
【図９】
2017171333.tif 000011
【図１０】
2017171333.tif 000012
【図１１】
2017171333.tif 000013
【図１２】
2017171333.tif 000014
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
上方に開口部（５）を有した容器本体（３）と、該容器本体の開口部（５）に着脱可能に嵌合する蓋体（３０）とからなる密閉容器（１）において、前記容器本体（３）は、開口部（５）の外周縁に前記蓋体（３０）を着脱可能に嵌合する係止爪部（６）と蓋体（３０）の周縁に設けた係止鍔部（３３）を支持する環状溝部（８）を一体に形成し、該環状溝部の一部に設けた開口凹部（１３）に、前記蓋体（３０）の無断開封を防止する開閉操作片（１４）を前記開口凹部（１３）から剥離可能で一体に設けてなり、前記蓋体（３０）は、容器本体（３）の開口部（５）を閉口する蓋部（３１）の内周縁に前記容器本体（３）の開口部（５）に設けた係止爪部（６）と嵌合する係合部（３２）と、前記容器本体（３）の環状溝部（８）に嵌る平坦な係止鍔部（３３）を一体に設けてなり、前記開口凹部（１３）に収容した開閉操作片（１４）は、環状溝部（８）の外周面と一体に連接する外壁部（１５）の両端垂直方向に薄肉厚に形成した破砕溝部（２１）を設け、前記外壁部（１５）の内側に前記環状溝部（８）の鍔部（１０）及び平坦部（１１）と同形の鍔部（１６）と平坦部（１７）を一体に形成し、該平坦部の内縁（１７ａ）に設けた少なくとも１以上の支持部（１８）の先端を前記開口凹部（１３）の内縁（１３ａ）と破砕可能で一体に形成してなり、前記容器本体（３）の開口部に設けた環状溝部（８）に嵌合した蓋体（３０）の開封は、前記開閉操作片（１４）を外方向に引っ張って破砕溝部（２１）の一方を破断させると同時に、支持部（１８）の先端を開口凹部（１３）の内縁（１３ａ）から破断させて離脱させることにより、開閉操作片（１４）を片開きさせて開口凹部（１３）内に位置した蓋体（３０）の係止鍔部（３３）の一部を露出させ、露出した係止鍔部（３３）を上方に押し上げて係止爪部（６）から蓋体（３０）の係合部（３２）を離脱させることにより容器本体（３）から蓋体（３０）を取り外し可能に形成してなることを特徴とする密封容器。
【請求項２】
前記開閉操作片（１４）は、平坦部（１７）の内縁（１７ａ）で水平方向に三角形状をした少なくとも１以上の支持部（１８）設け、該支持部の先端を前記開口凹部（１３）の内縁（１３ａ）と破砕可能な一体に形成し、前記支持部（１８）の裏面垂直方向にそれぞれ補強リブ部（１９）を一体に設けてなり、環状溝部（８）の外周面と一体に連接する外壁部（１５）の両端垂直方向に薄肉厚に形成した破砕溝部（２１）を設け、前記外壁部（１５）の内側に前記環状溝部（８）の鍔部（１０）及び平坦部（１１）と同形の鍔部（１６）と平坦部（１７）を一体に形成し、該平坦部の内縁（１７ａ）に設けた少なくとも１以上の支持部（１８）の先端を前記開口凹部（１３）の内縁（１３ａ）と破砕可能で一体に形成してなり、前記開閉操作片（１４）を外方向に引っ張って破砕溝部（２１）の一方を破断させると同時に、支持部（１８）の先端を開口凹部（１３）の内縁（１３ａ）から破断させて離脱させることにより、開閉操作片（１４）を片開きさせて開口凹部（１３）内に位置した蓋体（３０）の係止鍔部（３３）の一部を露出させ、露出した係止鍔部（３３）を上方に押し上げて係止爪部（６）から蓋体（３０）の係合部（３２）を離脱させることにより容器本体（３）から蓋体（３０）を取り外し可能に形成してなることを特徴とする請求項１記載の密封容器。
【請求項３】
前記開閉操作片（１４）は、外壁部（１５）の下端水平方向に保持部（２０）を設け、該保持部の両側で前記環状溝部（８）の下端水平方向に保持部（２０）を保護する保護鍔部（２５）をそれぞれ設けてなり、環状溝部（８）の外周面と一体に連接する外壁部（１５）の両端垂直方向に薄肉厚に形成した破砕溝部（２１）を設け、前記外壁部（１５）の内側に前記環状溝部（８）の鍔部（１０）及び平坦部（１１）と同形の鍔部（１６）と平坦部（１７）を一体に形成し、該平坦部の内縁（１７ａ）に設けた少なくとも１以上の支持部（１８）の先端を前記開口凹部（１３）の内縁（１３ａ）と破砕可能で一体に形成してなり、前記開閉操作片（１４）を外方向に引っ張って破砕溝部（２１）の一方を破断させると同時に、支持部（１８）の先端を開口凹部（１３）の内縁（１３ａ）から破断させて離脱させることにより、開閉操作片（１４）を片開きさせて開口凹部（１３）内に位置した蓋体（３０）の係止鍔部（３３）の一部を露出させ、露出した係止鍔部（３３）を上方に押し上げて係止爪部（６）から蓋体（３０）の係合部（３２）を離脱させることにより容器本体（３）から蓋体（３０）を取り外し可能に形成してなることを特徴とする請求項１記載の密封容器。
【請求項４】
前記開閉操作片（１４）は、外壁部（１５）の両端に設けた破砕溝部（２１）の上下両端に切欠部（２２、２３）を設けてなり、環状溝部（８）の外周面と一体に連接する外壁部（１５）の両端垂直方向に薄肉厚に形成した破砕溝部（２１）を設け、前記外壁部（１５）の内側に前記環状溝部（８）の鍔部（１０）及び平坦部（１１）と同形の鍔部（１６）と平坦部（１７）を一体に形成し、該平坦部の内縁（１７ａ）に設けた少なくとも１以上の支持部（１８）の先端を前記開口凹部（１３）の内縁（１３ａ）と破砕可能で一体に形成してなり、前記開閉操作片（１４）を外方向に引っ張って破砕溝部（２１）の一方を破断させると同時に、支持部（１８）の先端を開口凹部（１３）の内縁（１３ａ）から破断させて離脱させることにより、開閉操作片（１４）を片開きさせて開口凹部（１３）内に位置した蓋体（３０）の係止鍔部（３３）の一部を露出させ、露出した係止鍔部（３３）を上方に押し上げて係止爪部（６）から蓋体（３０）の係合部（３２）を離脱させることにより容器本体（３）から蓋体（３０）を取り外し可能に形成してなることを特徴とする請求項１記載の密封容器。